(57)【要約】【課題】持ち易く、個人使用に適した液体燃料燃焼装置を提供する。【解決手段】前後に長い燃料タンク３０と、この燃料タンク３０の上に接続され、前面に放熱面となる放熱パネル１１を備えたハウジング１０とを有する燃焼装置１を提供する。ハウジング１０は、液体燃料を燃焼するための燃焼室４０と、燃料タンク３０から供給された液体燃料を前方の燃焼室４０に噴霧するバーナ５０とを収納している。さらに、燃料タンク３０に沿って前後に延び、放熱パネル１１は、左右の長さに対して上下の長さが大きく、ハウジング１０の上面に、吊り下げて搬送するための取手１５が設けられている。この燃焼装置１は、全体が縦長の箱状になっており、手で持って搬送し易く、また、人体に沿った上下方向に赤外線を放出できるので、パーソナルユースのハンディータイプの燃焼装置１となる。【選択図】図３
2007113828.tif 000002
【特許請求の範囲】
【請求項１】
前後に長い燃料タンクと、
この燃料タンクの上に接続され、前面に放熱面を備え、液体燃料が燃焼または気化のために噴霧される処理室と、前記燃料タンクから供給された液体燃料を前方の前記処理室に噴霧する噴霧装置とを収納したハウジングとを有し、
前記ハウジングは、前記燃料タンクに沿って前後に延び、前記放熱面は、左右の長さに対して上下の長さが大きく、
さらに、前記ハウジングの上面に、搬送するための取手を有する、燃焼装置。
【請求項２】
請求項１において、前記燃料タンクに対して、前記放熱面が斜め上方を向くように、前記ハウジングが傾けて取り付けられている、燃焼装置。
【請求項３】
請求項２において、前記燃料タンクは、その後方に給油口およびゲージを備えている、燃焼装置。
【請求項４】
請求項２において、前記ハウジングは、その前方上部の前記放熱面の周囲に配置された放熱孔であって、前記処理室と前記ハウジングとの間のスペースと連通する放熱孔と、その下方に配置された吸気孔とを備えている、燃焼装置。
【請求項５】
請求項１ないし４のいずれかにおいて、前記燃料タンクの下面の前後の端から左右に突き出た前後一対の棒状の脚を有する、燃焼装置。
【発明の詳細な説明】
【技術分野】
【０００１】
本発明は、液体燃料の燃焼により生じた熱を、主に前面から出力する燃焼装置に関するものである。
【背景技術】
【０００２】
事務所や工場等の室内の暖房などに液体燃料燃焼装置が採用されている。液体燃料燃焼装置は、灯油などを溜める液体燃料タンクと、この液体燃料タンクから送られた液体燃料を燃焼させるバーナおよび燃焼室を備えた燃焼ユニットとを有する。燃焼ユニットは液体燃料タンクの直上に位置するように左右のフレームにより支持され、液体燃料タンクの左右の側面の下側には、装置を自立させるための脚部が取り付けられている。そして、脚部には移動用の車輪が取り付けられている。
【特許文献１】特開平１１−１０８４６０号公報
【発明の開示】
【発明が解決しようとする課題】
【０００３】
暖房を目的とする燃焼装置の主なタイプは、大型で高出力であり、冬季などの使用時は所定の位置に設置されて殆ど移動せず、夏季などの不使用時には移動して収納できるものである。これに対し、冬季などの稼動時でも頻繁に、ユーザが簡単に持ち運びできるハンディータイプの暖房用の燃焼装置が検討されている。
【０００４】
ハンディータイプの暖房用の燃焼装置は、コンパクトで持ちやすいと共に、どこでも使用でき、さらに、高出力であることも要求される。燃料タンクの上に燃焼室が取り付けられた設計は燃焼装置としては変え難く、ハンディータイプの燃焼装置においても採用せざるを得ない。このため、ハンディータイプの燃焼装置のデザインは、大型の燃焼装置を単に持ち運びできる程度にコンパクトにしたものが多い。しかしながら、特許文献１に示すように、横方向に広い放熱面を備えた燃焼装置は、広範囲を暖房できる点で優れているが、これをコンパクトにしても持ち易いとは言えない。一方、放熱面を円形にすると、ハウジングはスリムになるが、放熱面の面積が小さくなり、出力を上げようとして放熱面の面積を大きくすると持ち難いデザインになる。
【課題を解決するための手段】
【０００５】
本発明の一形態は、前後に長い燃料タンクと、この燃料タンクの上に接続され、前面に放熱面を備え、液体燃料が燃焼または気化のために噴霧される処理室と、燃料タンクから供給された液体燃料を前方の処理室に噴霧する噴霧装置とを収納したハウジングとを有する燃焼装置である。この燃焼装置のハウジングは、燃料タンクに沿って前後に延び、その前面の放熱面は、左右の長さに対して上下の長さが大きく、さらに、ハウジングの上面に、燃焼装置を搬送するための取手を有する。
【０００６】
この燃焼装置は、燃料タンクが前後に長く、その上に接続されたハウジングも燃料タンクに沿って前後に延び、ハウジングの前面の放熱面は左右の長さに対して上下の長さが大きいデザインとなっている。したがって、燃料タンクおよびハウジングを含めた燃焼装置の全体の形状は、縦に細長いスリムな箱状、すなわち、旅行などに持ち運ぶスーツケースに似た形状となる。このため、ハウジングの上面に、燃焼装置を吊り下げて搬送するための取手を設けることにより、スーツケースと同じような感覚で、取手が体から離れすぎない程度の状態で、持ち運び易いハンディータイプの燃焼装置を提供できる。一方、ハウジングは前後方向に十分なスペースを確保できるので、ハウジングの前方に、液体燃料が燃焼または気化のために噴霧される処理室を収納でき、後方に燃料タンクから供給された液体燃料を前方の処理室に噴霧する噴霧装置を収納できる。液体燃料を火炎燃焼するタイプの燃焼装置の場合は、処理室は、燃焼室と称され、噴霧装置はバーナと称されることが多い。一方、液体燃料を気化して放熱面の近傍で触媒燃焼するタイプの燃焼装置の場合は、処理室は、気化室と称され、噴霧装置は霧化装置などと称されることがある。
【０００７】
また、この燃焼装置においては、放熱面を上下に長い形状とすることにより、ハウジングの幅を広げずに放熱用の面積を確保できる。さらに、処理室もハウジングと同様に縦長にすることにより、縦長のハウジング内のスペースを有効に利用でき、全体がスリムでコンパクトでありながら、熱出力も十分に大きな燃焼装置を提供できる。さらに、上下に長い放熱面は、幅に対して上下に長い面積を暖めるのに適しており、立ったり座ったりした状態の個々の身体に対し、効率良く赤外線などにより熱を供給できる。このため、この燃焼装置は、スリム化することにより、持ち運びやすく、さらに、個人を対象として加温するパーソナルユースに適した燃焼装置となる。放熱面は、縦長の長方形あるいは楕円形であることが好ましい。
【０００８】
さらに、ハウジングは、燃料タンクに対して、放熱面が斜め上方を向くように、取り付けられていることが望ましい。放熱面を水平から上方に傾けることにより、床面の加熱を抑制し、立った状態のユーザをさらに効率良く加温できる。したがって、縦長のハウジングの位置を地面あるいは床に近づけることが可能となり、さらにコンパクトな燃焼装置を提供できる。
【０００９】
また、放熱面が斜め上を向くように傾けられたハウジングの上面に取手が取り付けられていると、その取手を持って燃焼装置を吊り下げたときに、燃料タンクは前方が低くなるように傾き易い。したがって、燃料タンクの給油口およびゲージを、持ち運びする際に高くなる燃料タンクの後方に設けることにより、給油口の蓋の閉め忘れなどが発生したケースでも燃料漏れは発生し難く、より安全に持ち運びできるハンディー型の燃焼装置を提供できる。
【００１０】
さらに、ハウジングの前方上部の放熱面の周囲に処理室と、ハウジングとの間のスペースと連通する放熱孔を配置し、ハウジングの下方に吸気孔を配置する。放熱面が斜め上を向くようにハウジングが傾けられていると、これより、ハウジング内を換気して冷却できると共に、これらにより暖められた空気をハウジング前方の放熱面の上部の放熱孔から放出できる。このため、放熱面から前方に放出される赤外線に加えて、放熱面の上部から放出される暖気により、ハウジングの放熱面の側を集中的に暖房することができる。この点でも、パーソナルユースに向いた燃焼装置を提供できる。さらに、ハウジングが縦長なので、吸気孔と放熱孔との上下間隔を確保でき、煙突効果により外気の循環量を確保し易い。
【００１１】
さらに、燃焼装置は、燃料タンクの下面の前後の端から左右に突き出た、前後一対の棒状の脚を有することが望ましい。左右に突き出た棒状の脚により、全体が縦長の箱状の燃焼装置をさらに安定して支持できる。また、これら一対の脚は、燃料タンクの前後の端にあるので、取手を持って燃焼装置を持ち運ぶときに、例えば、ユーザの足あるいは体の前後になり、これらの脚がユーザの身体と干渉することが少ない。したがって、脚があっても持ち運び易い燃焼装置を提供できる。
【発明を実施するための最良の形態】
【００１２】
図１に、ハンディー型の燃焼装置１の外観を斜視図で示してある。また、図２（ａ）に燃焼装置１を前方の放熱面の方向から見た様子を示し、図２（ｂ）に燃焼装置１の前方を正面としたときに右側から見た様子を示し、図２（ｃ）に、燃焼装置１を底部から見た様子を示してある。さらに、図３および図４に、燃焼装置１の内部の概略構成を断面図により示している。
【００１３】
本例のハンディー型の燃焼装置１は、前後方向（Ｘ方向）に長く延びた方形状の燃料タンク３０と、この燃料タンク３０の上方に接続されたハウジング１０とを備えている。ハウジング１０は、前後（Ｘ方向）に延びた筒状であり、その断面は縦長の長方形に近い楕円となっている。ハウジング１０の内部には、図３に示すように、前方が放熱面１１となった燃焼室（処理室）４０と、この燃焼室４０に液体燃料を噴霧する噴霧装置（バーナ）５０とが収納されている。
【００１４】
図４に示すように、燃焼室４０は、前後方向に延びた筒状で、ハウジング１０の断面より一回り小さな、ほぼ相似の縦長の楕円形の断面を備えた中空のシェル部材４２により構成されている。この燃焼室４０は、ハウジング１０の内部のほぼ中央に設置され、ハウジング１０との間に換気用のスペース４３が形成されている。また、シェル部材４２の周囲は断熱材４１により囲われている。ハウジング１０の燃焼室４０の後方には、バーナ５０と、燃焼室４０に燃焼用の空気を送るブロワ（燃料空気供給ファン）５２と、点火用のイグナイター５１と、燃料タンク３０からバーナ５０に燃料を供給する燃料ポンプ５３と、これらを制御する制御機器５４などが収納されている。
【００１５】
ハウジング１０の前面１０ａには、燃焼室４０の前面を構成する、縦長の楕円形状で多孔性の放熱パネル１１が表れ、放熱面を形成している。ハウジング１０の前面１０ａには、さらに、この放熱面１１の外側をカバーする金具（プロテクタ）１４が取り付けられている。ハウジング１０の前面１０ａには、放熱パネル１１の上半分の縁に沿って放熱孔１３が開いており、ハウジング１０と燃焼室４０との間の換気用のスペース４３と繋がっている。
【００１６】
ハウジング１０は、その下部が連結部分２０により燃料タンク３０に対して、放熱パネル１１が若干上方を向くように接続されている。さらに、この連結部分２０に、ハウジング１０の内部に外気を循環させるためのファン２３と、駆動用のモータ２４とが収納されている。ハウジング１０の下方にあたる連結部分２０には、複数の吸気孔２２が設けられている。したがって、ファン２３が動くと吸気孔２２から外気７２がハウジング１０と燃焼室４０との間のスペース４３に導入され、ハウジング１０の内部を冷却し、加温された空気７２は、ハウジング１０の前方上部の放熱孔１３から外部に放出されるようになっている。
【００１７】
燃料タンク３０は、全体が方形の箱型で、前後（Ｘ方向）に長く延び、その下面３８の前後に左右（Ｙ方向）に突き出た棒状の前後一対の脚３５が取り付けられている。具体的には、脚３５はパイプで構成されており、その両端には、滑り止め用のゴム製のキャップ３５ａが取り付けられている。燃料タンク３０の後方に、燃料の残量を示すゲージ３２が取り付けられ、その反対側に給油口３１が設けられている。燃料タンク３０は、燃料パイプ３３および燃料ポンプ５３を介してバーナ５０と接続されており、燃料タンク３０に蓄えられた灯油などの液体燃料７０を燃焼室４０で燃焼することにより、放熱パネル１１を赤熱し赤外線を放出できる。
【００１８】
ハウジング１０は、図２に示したように燃料タンク３０に沿って延びた縦長の形状をしている。具体的には、ハウジング１０の前後（Ｘ方向）の長さＬ１は、燃料タンク３０の前後の長さＬ２よりも若干短い程度でほぼ同じである。そして、左右（Ｙ方向）の長さ（幅）Ｗ１は、燃料タンク３０の左右の長さＷ２よりも、若干大きい程度で略同じとなっている。そして、前面の放熱プレート１１は、左右の長さＷ１に対して上下（Ｚ方向）の長さ（高さ）Ｈ１が長い縦長の形状である。したがって、ハウジング１０と燃料タンク３０とを含む燃焼装置１の全体的な形状は、幅（Ｙ方向）が薄く上下（Ｚ方向）に長いスーツケースのような箱状である。さらに、ハウジング１０の上面１０ｓのほぼ中央に、燃焼装置１を吊り下げて搬送するための、逆Ｕ字型の取手（グリップ・ハンド）１５が設けられている。
【００１９】
このため、燃焼装置１は、図５に示すように、ユーザ９０が片手９１で取手１５を把持することにより、スーツケースのように簡単に持ち運びできる。ハウジング１０および燃料タンク３０の幅（Ｙ方向の長さ）が狭いので、取手１５により燃焼装置１を吊り下げた際に、ハウジング１０および燃料タンク３０がユーザ９０の体からさほど離れず、手９１を肩から真っ直ぐに下げた状態で燃焼装置１を持つことができる。このため、持ち運びに要する力が少なくて済み、簡単に運搬できる。また、ハウジング１０が縦長なので、燃焼装置１を床から持ち上げるときや、床に置くときに取手１５が比較的高い位置になる。このため、ユーザ９０は、腰やひざをそれほど曲げなくても燃焼装置１を持ち上げたり、置いたりすることができる。さらに、燃料タンク３０の前後に取り付けられた脚３５は、燃料タンク３０の左右に突き出ているが、取手１５により燃焼装置１を持ち上げたときに、脚３５はユーザ９０の足には当たらず、前後にずれるので、燃焼装置１を持ち運ぶ際にほとんど障害にならない。
【００２０】
さらに、ハウジング１０は、燃料タンク３０に対して、放熱面１１が若干斜め上方を向くように、５〜１０度程度傾けて取り付けられている。取手１５を持って燃焼装置１を吊り下げると、ハウジング１０の上面１０ｓがほぼ水平になるので、燃料タンク３０は前方が若干下を向き、後方が上になるように傾いた状態で運搬される。燃焼装置１は、燃料タンク３０の後方に燃料の給油口３１が配置されている。このため、運搬中は、燃料タンク３０は後方が上になるように傾くので、給油口３１は上になる。したがって、給油口３１の蓋の締め付けが弱いなどの燃料が漏れる可能性がある状況であっても、運搬中に燃料が漏れ出すことを未然に防ぐことができる。
【００２１】
一方、図６に示すように、燃焼装置１を地面あるいは床９６の上に置くと、左右の方向に延びた前後一対の脚３５により、全体が縦長の燃焼装置１を安定して支持できる。さらに、ハウジング１０が数度から１０度程度傾いているので、放熱パネル１１の面が若干斜め上方を向く。したがって、燃焼室４０における液体燃料の燃焼により加熱された放熱パネル１１から放出される赤外線７３は、斜め下方よりも、斜め上方に多く放出される。さらに、放熱パネル１１は上下に長い楕円状になっている。このため、ハウジング１０は縦長であっても、放熱パネル１１の前面の放熱面積は大きく、大量の赤外線７３を放出できる。そして、放熱パネル１１から放出される赤外線７３は、床９６を加熱する量が少なくなり、放熱パネル１１の前方に立っているユーザ９０を加熱する量が多くなる。また、放熱パネル１１からは、その縦長の形状に従って、横（幅方向、左右）よりも縦長（上下）に広がるように赤外線７３が照射される。このため、個人のユーザ９０の身体に沿って赤外線を照射することができ、放熱パネル１１から出力される赤外線７３をユーザ個人の暖房のために効率良く利用できる。したがって、この燃焼装置１は、持ち運びが容易で、個々のユーザ９０を暖房するのに適しており、パーソナルユースに適したハンディータイプの燃焼装置１となっている。
【００２２】
さらに、ハウジング１０の中には、前述したように、前方に縦長のハウジング１０よりも、若干小さな縦長の燃焼室４０が配置され、その後にバーナ５０およびその他の液体燃料燃焼に必要な機器が収納されている。燃焼室４０を縦長にすることにより、縦長のハウジング１０の内部のスペースを有効に利用することができ、燃焼室４０として燃焼に十分な空間が確保できる。このため、ハウジング１０が縦長でコンパクトであっても、十分な量の燃料を燃焼室４０に注入でき、良好に燃焼させることができる。また、縦長の燃焼室４０の前方の放熱パネル１１も縦長であり、縦長のハウジング１０の前面１０ａを効率良く利用して、十分な放熱面積を確保している。したがって、コンパクトで高出力であり、窒素酸化物などの発生の少ない燃焼装置１を提供できる。
【００２３】
多孔性の放熱パネル１１からは、赤外線７３と共に高温の燃焼ガスも放出され、前方のユーザ９０の暖房のために利用される。さらに、ハウジング１０は前方が若干高くなるように傾いた状態で設置されるので、ハウジング１０と燃焼室４０との間のスペース４３に導入され、加温された空気７２は、高くなったハウジング１０の前方上部の放熱孔１３から効率良く放出される。吸気孔２２から外気を吸い込んで放熱孔１３から放出することによりハウジング１０の過熱を防止できると共に、ハウジング内部の熱を、ハウジング１０の前方のユーザ９０の側に放出することにより、ユーザ９０の周辺の温度を上げることができる。したがって、排熱もユーザ９０の暖房目的のために有効利用できる。ハウジング１０の下方に吸気孔２２を設け、上方に放熱孔１３を設けると、煙突効果によりハウジング内に外気を自然循環させることで、ハウジング内部を自然冷却できる。さらに、ハウジング１０は縦長なので、ハウジング１０の内部の、燃焼室４０の外側（保温材４１の外側）に縦長のスペース４３が確保され、吸気孔２２と放熱孔１３との上下の間隔を確保できるので循環量を確保し易い。この燃焼装置１は、さらに強制的にハウジング内部に外気を循環させるためのファン２３を備えている。このため、ハウジング内により多くの外気を取り込み、ハウジング１０を冷却するとともにハウジング内部で加温された外気を、放熱パネル１１の上部周囲の放熱孔１３から前方に向けて放出することができる。したがって、より効率良く、燃焼室４０で発生する熱を個人の暖房のために利用できる。
【００２４】
なお、上記では、燃焼室内で液体燃料を火炎燃焼させるタイプの燃焼装置を説明しているが、放熱パネル１１で触媒燃焼させるタイプの燃焼装置であっても良い。触媒燃焼型の燃焼装置は、放熱パネル１１として多孔性の触媒燃焼パネルを備え、その後方には燃焼室４０の代わりに気化室が配置され、放熱パネル１１からの輻射熱により、気化室に噴霧された液体燃料を気化するものである。
【００２５】
また、上記において説明した燃焼装置では、放熱パネル１１は縦長の楕円形であるが、縦長の長方形や、その長方形の角を斜めにした八角形などの形状であっても良い。
【図面の簡単な説明】
【００２６】
【図１】ハンディータイプの燃焼装置の外観を示す斜視図。
【図２】図２（ａ）は、図１の燃焼装置を前方から見た正面図、図２（ｂ）は右側面図、図２（ｃ）は底面図。
【図３】図１の燃焼装置内部構成を示すための前後方向の断面図。
【図４】図１の燃焼装置内部構成を示すための左右方向の断面図。
【図５】図１の燃焼装置を運搬している状態を示す図。
【図６】図１の燃焼装置の使用状態を示す図。
【符号の説明】
【００２７】
１    ハンディータイプの燃焼装置
１０    ハウジング、１１    放熱面、１３    放熱孔
１５    取手、２２    吸気孔
３０    燃料タンク、３５    脚
４０    燃焼室、５０    バーナ（噴霧装置）
７０    液体燃料、７２    外気、７３    赤外線
【図１】
2007113828.tif 000003
【図２】
2007113828.tif 000004
【図３】
2007113828.tif 000005
【図４】
2007113828.tif 000006
【図５】
2007113828.tif 000007
【図６】
2007113828.tif 000008